(57)【特許請求の範囲】
【請求項１】
それぞれが機枠に配設された、被検眼の被検部位で反射される照明光を検知することによって該被検部位を撮影するための被検部位撮影機構と、角膜頂点に正面から照射された平行光による角膜反射像たるプルキンエ像に基づいて角膜頂点にその光軸を一致させるためのアライメント機構と、角膜に斜め前方から照射されて斜め前方に反射されたスリット光を検知することによって合焦位置を確定するための合焦機構とを備えてなる眼球撮影装置において、
前記被検部位撮影機構とアライメント機構と合焦機構とにおける対物光学部が、アライメントおよび合焦作動のために前記機枠に対して、被検眼に接近後退するＺ方向と該Ｚ方向に垂直なＸ方向およびＹ方向とに相対移動させられるように構成さており、
各対物光学部と対物光学部より後方の光学部とのあいだが、Ｚ方向に延びるアフォーカル光路となるように構成されてなることを特徴とする眼球撮影装置。
【請求項２】
前記被検部位撮影機構が、角膜頂点に収束されるスリット光を被検眼の斜め前方から照射するための角膜照射手段と、前記スリット光の角膜における全反射光を被検眼の斜め前方から撮影するための角膜撮影手段とを有する角膜厚測定機構を構成しており、
前記アライメント機構が、角膜頂点に正面から照射された平行光による角膜反射像たるプルキンエ像を撮像するための合軸撮像手段と、該合軸撮像手段からの信号に基づいて被検眼の頂点に合軸撮像手段の光軸を一致させるべくアライメント機構の対物光学部を移動させるための移動手段とを有しており、
前記合焦機構が、角膜頂点近傍での反射光を検知するための合焦検知手段と、前記角膜照射手段の合焦点を前記合焦検知手段からの信号に基づいて被検部中央に一致させるべく前記角膜厚測定機構の対物光学部を移動させるための移動手段とを有してなる請求項１記載の眼球撮影装置。
【請求項３】
前記被検部位撮影機構が、角膜頂点に収束されるスリット光を正面から照射するための角膜照射手段と、前記スリット光の角膜における乱反射光を被検眼の斜め前方から撮像する角膜断面撮像手段とを有する角膜厚測定機構を構成しており、
前記アライメント機構が、角膜頂点に正面から照射された平行光による角膜反射像たるプルキンエ像を撮像するための合軸撮像手段と、該合軸撮像手段からの信号に基づいて被検眼の頂点に前記角膜照射手段の光軸を一致させるべくアライメント機構の対物光学部を移動させるための移動手段とを有しており、
前記合焦機構が、角膜頂点近傍での反射光を検知するための合焦検知手段と、前記角膜照射手段の合焦点を前記合焦検知手段からの信号に基づいて被検部中央に一致させるべく前記角膜厚測定機構の対物光学部を移動させるための移動手段とを有してなる請求項１記載の眼球撮影装置。
【請求項４】
前記全対物光学部が単一のレンズ系から構成さていることを特徴とする請求項１〜３のうちいずれか一の項に記載の眼球撮影装置。
【発明の詳細な説明】
【０００１】
【発明の属する技術分野】
本発明は眼球撮影装置に関する。さらに詳しくは、当該装置と被検眼とのアライメントおよび焦点合わせを自動的に行うに際し、きわめて軽量である対物光学部を移動させることにより瞬時にアライメントおよび焦点合わせが可能となる眼球撮影装置に関する。
【０００２】
【従来の技術および発明が解決しようとする課題】
従来、眼科医療分野で眼球の検査のために、被検眼の各部組織を撮影するための接触式や非接触式の装置が用いられているが、眼球の損傷や雑菌の付着を避けるという観点からは非接触式のものが好ましい。
【０００３】
非接触式で、被検眼のたとえば角膜厚さを測定するに際しては、スペキュラー方式およびシャインフルーク方式のパコメータが用いられる。
【０００４】
スペキュラー方式は、観察用機構のレンズで絞ったスリット光を被検眼の斜め前方から角膜頂点に照射し、角膜の上皮細胞および内皮細胞それぞれでこの光を全反射させ、各全反射光を角膜の斜め前方の検知手段によって検知して角膜厚さを測定する方式である。
【０００５】
シャインフルーク方式は、観察用機構のレンズで絞ったスリット光を被検眼の角膜における測定装置に一番近い点である角膜頂点に垂直に照射し、角膜を構成する角膜上皮細胞から角膜内皮細胞までのあいだの層全体でこの光を乱反射させ、この乱反射光を角膜の斜め前方の撮影機によって撮影し、角膜の断面像を得て角膜厚さを測定する方式である。
【０００６】
この場合、角膜観察用機構のレンズで絞ったスリット光を角膜の頂点に垂直に入射させるために予め角膜観察用機構の光軸を角膜の頂点に一致させる操作（アライメント操作または照準操作という）、および前記角膜観察用機構のレンズの焦点を被検部（主に角膜頂点）に合わせる操作（ピント合わせまたは合焦操作という）は、眼科医が被検部を目視によって観察しつつ手動により行っている。
【０００７】
すなわち、被検眼に照射されたアライメント指標光が被検眼の被検部に位置するように、眼科医が手動によって角膜厚さ測定装置を上下左右方向に移動せしめる。また、被検眼に照射される固視灯を被検者に注視させることによって被検眼を固定するのであるが、固視灯を動かし、これを被検者に追尾させることによって被検眼の方向を移動させ、角膜上の所望の被検部に測定装置の光軸を合わせる。かかる方法でアライメント操作を行っている。
【０００８】
また、同じく手動によって角膜厚さ測定装置を前後方向（被検眼に向かって前進、後退する方向）に移動せしめて合焦操作を行っている。
【０００９】
したがって、いかに眼科医といえども角膜厚さの測定はかなりの熟練を必要とするものである。
【００１０】
一方、角膜厚さの測定に限らず、眼科治療の分野ではベッドの上で伏臥状態にある患者の眼球を検査する必要のある場合がある。しかし、たとえ熟練した眼科医であっても、アライメント操作および合焦操作のために比較的大きい重量の装置全体を移動させるのであるから短時間でなしうるものではなく、まして、装置を手でもって患者の眼球近傍に位置させることはできない。したがって、精確なアライメントおよび合焦が可能なハンディタイプの眼球撮影装置の実現は期待できない。
【００１１】
【課題を解決するための手段】
本発明はかかる課題を解決するためになされたものであり、
眼球撮影装置に対し、被検眼を撮影するために必要な被検部位撮影機構とアライメント機構と合焦機構とについて、各機構の対物光学部と機枠に配設された結像光学部等を含む後方の光学部とのあいだがアフォーカル光路となるようにレンズ系等を構成し、そのうえで対物光学部をアライメントおよび合焦作動のために機枠に対して相対移動しうるように構成した。
【００１２】
他の光学部と分離されたことによって対物光学部はきわめて軽量となり、小さな駆動機によって容易に且つ迅速に移動させることができる。その結果、装置全体が軽量となることはもとより、アライメント作動および合焦作動もいわば瞬時に行われるため、撮影装置をハンディタイプとしても撮影時のいわゆる手ブレ等の問題は解消される。
【００１３】
【発明の実施の形態】
すなわち本発明の眼球撮影装置は、
それぞれが機枠に配設された、被検眼の被検部位で反射される照明光を検知することによって該被検部位を撮影するための被検部位撮影機構と、角膜頂点に正面から照射された平行光による角膜反射像たるプルキンエ像に基づいて角膜頂点にその光軸を一致させるためのアライメント機構と、角膜に斜め前方から照射されて斜め前方に反射された照射スリット光を検知することによって合焦位置を確定するための合焦機構とを備えてなる眼球撮影装置において、
前記被検部位撮影機構とアライメント機構と合焦機構とにおける対物光学部がアライメントおよび合焦作動のために前記機枠に対して、被検眼に接近後退するＺ方向と該Ｚ方向に垂直なＸ方向およびＹ方向とに相対移動させられるように構成さており、各対物光学部と対物光学部より後方の光学部とのあいだが、Ｚ方向に延びるアフォーカル光路となるように構成されてなることを特徴としている。
【００１４】
したがって、相対移動によって変位する光路の部位がちょうど平行光となっているところであるため、対物光学部の相対移動によっても照明光等はその光路にズレを生じることなく結像光学部等によって受光されうる。したがって、眼球の被検部位の撮影が可能である。なによりも、アライメント操作および合焦操作を行うに際し、きわめて軽量な対物光学部を移動させるだけでよいため、瞬時に上記操作が完了する点で有利である。その結果、検査者が装置を手で持って眼球の被検部位を撮影しても手ブレの心配がないので、ハンディタイプの装置とすることが可能となる。
【００１５】
なお、特許請求の範囲でいう「後方」とは、被検眼の位置する方向を前方とした場合の反対方向をいう。また、対物光学部とは、被検眼に対向した収束レンズや平行化レンズ等の光学要素を含む光学部をいう。
【００１６】
かかる眼球撮影装置において、
前記被検部位撮影機構を、角膜頂点に収束されるスリット光を被検眼の斜め前方から照射するための角膜照射手段と、前記スリット光の角膜における全反射光を被検眼の斜め前方から撮影するための角膜撮影手段とを有する角膜厚測定機構として構成し、
前記アライメント機構に、角膜頂点に正面から照射された平行光による角膜反射像たるプルキンエ像を撮像するための合軸撮像手段と、該合軸撮像手段からの信号に基づいて被検眼の頂点に前記角膜照射手段の光軸を一致させるべくアライメント機構の対物光学部を移動させるための移動手段とを備え、
前記合焦機構に、角膜頂点近傍での反射光を検知するための合焦検知手段と、前記角膜照射手段の合焦点を前記合焦検知手段からの信号に基づいて被検部中央に一致させるべく前記角膜厚測定機構の対物光学部を移動させるための移動手段とを備えるたものにあっては、スペキュラー方式によるハンディタイプの角膜厚測定装置が構成されうる点で好ましい。前記角膜厚測定機構によれば、角膜における全反射光には、角膜内皮および角膜上皮等での反射光も存在するため、その撮影された像から角膜厚さを測定することが可能であり、また、撮影された像から角膜組織の確認も可能である。
【００１７】
また、
前記被検部位撮影機構を、角膜頂点に収束されるスリット光を正面から照射するための角膜照射手段と、前記スリット光の角膜における乱反射光を被検眼の斜め前方から撮像する角膜断面撮像手段とを有する角膜厚測定機構として構成し、
前記アライメント機構に、角膜頂点に正面から照射された平行光による角膜反射像たるプルキンエ像を撮像するための合軸撮像手段と、該合軸撮像手段からの信号に基づいて被検眼の頂点に前記角膜照射手段の光軸を一致させるべくアライメント機構の対物光学部を移動させるための移動手段とを備え、
前記合焦機構が、角膜頂点近傍での反射光を検知するための合焦検知手段と、前記角膜照射手段の合焦点を前記合焦検知手段からの信号に基づいて被検部中央に一致させるべく前記角膜厚測定機構の対物光学部を移動させるための移動手段とを備えたものにあっては、シャインフルーク方式によるハンディタイプの角膜厚測定装置が構成されうる点で好ましい。前記角膜厚測定機構によれば、角膜断面像を確認し、且つその像から角膜厚さを測定することが可能である。
【００１８】
さらに、叙上の眼球撮影装置における全対物光学部を単一のレンズ系から構成したものにあっては、より簡易な構成によって前述の作用効果を奏しうる点で好ましい。
【００１９】
【実施例】
添付図面に示される実施例に基づいて本発明の眼球撮影装置を説明する。
【００２０】
図１は本発明の眼球撮影装置の一実施例を示す概略配置図、図２は図１の眼球撮影装置における角膜撮影装置による映像の一例を示す概略正面図、図３は本発明の眼球撮影装置の他の実施例の要部を示す概略配置図、図４は本発明の眼球撮影装置のさらに他の実施例を示す概略配置図である。
【００２１】
図１に示される眼球撮影装置１は、スペキュラー方式による被検眼Ｅの角膜厚さを測定する装置である（以下、角膜厚測定装置という）。この角膜厚測定装置１を構成する機器類は、同じく角膜厚測定装置１を構成する第一テーブル１００および第二テーブル２００の上に配設されている。この第二テーブル２００は第一テーブル１００に対して、それぞれが第一テーブル１００に配設されたＸ駆動機１０１およびＹ駆動機１０２によって上下方向（Ｘ方向）および左右方向（Ｙ方向）に移動されるようにされている。それによってアライメント操作が可能となる。さらに、第二テーブル２００は第一テーブル１００に対して、Ｚ駆動機１０３によって前後方向（Ｚ方向）に移動しうるようにされている。それによって合焦操作が可能となる。ここで、Ｚ方向とは被検眼Ｅに接近後退する方向であり、Ｘ方向およびＹ方向はＺ方向に垂直な方向である。
【００２２】
角膜厚測定装置１を構成する機器類としては、被検眼Ｅの角膜厚さを測定するために角膜を撮影する角膜撮影機構２、角膜を撮影するまえに被検眼の被検部位を固定するためのアライメント機構３、および、照準が定まった（アライメントされた）後に被検部位に角膜撮影機構２の焦点（具体的には後述の角膜照射手段２１の焦点）を一致させる合焦機構４が配設されている。
【００２３】
なお、本実施例におけるアライメント操作は、アライメント機構３の光軸を被検眼の光軸Ａｅと一致させる（角膜中心がアライメント機構３の光軸上に存在する状態）ことを例にとって説明するが、本発明ではとくに被検眼の光軸Ａｅに限定されることはなく、角膜中心以外を通る被検眼の軸にアライメント機構３の光軸を一致させることも可能である。
【００２４】
前記角膜撮影機構２は以下のごとく構成されている。すなわち、ストロボ放電管からなる角膜照射手段２１からの照明光がスリット２２を通過することによってスリット光にされ、このスリット光が平行化レンズ２３によって平行光にされる。この平行化されたスリット光が一対の第一ミラー２４によって被検眼Ｅの斜め前方から被検部位に向けられ、収束レンズ２５によって被検部位に収束される。ここで、収束レンズ２５から被検部位にいたる光路をＡ１と表す。
【００２５】
前記スリット光は被検眼Ｅの角膜頂点Ｔにおいて角膜の上皮および内皮で全反射される。ここで、角膜頂点Ｔでの全反射光の光路をＡ２と表す。上皮および内皮で反射された両スリット光はともに、平行化レンズ２６によって平行光にされ、ついで、一対の第二ミラー２７によって角膜撮影手段２８に向けられ、収束レンズ２９によって角膜撮影手段２８に収束される。角膜撮影手段２８としてはビデオカメラ（ＣＣＤ）が用いられる。したがって、角膜撮影手段２８の受光面には角膜の内皮における反射光と上皮における反射光とが入射し、図２に示すように内皮の像（スリット状）Ｍと上皮の像（スリット状）Ｎとが撮影される。スリット状の像Ｍ、Ｎは、それぞれの上部に突出した部分が形成されている。これは、内皮像Ｍの突出部と上皮像Ｎの突出部との間隔Ｄから角膜厚さを算出するためであり、スリットがかかる形状に形成されている。
【００２６】
なお、前記第一および第二のミラー２４、２７は装置全体をコンパクトに構成する目的で光路を変更するために用いられている。
【００２７】
そして、角膜撮影機構２のうち、いわゆる対物光学部を構成する収束レンズ２５と平行化レンズ２６と第一および第二のミラー２４、２７とは第二テーブル２００上に配設されており、その他は第一テーブル１００上に配設されている。また、前述の説明のとおり、角膜撮影機構２の対物光学部と第一テーブル１００上の構成機器類とのあいだは光が平行光となるように、換言すればアフォーカル光路となるように構成されている。
【００２８】
叙上のごとくして、角膜撮影手段２８に入射した前記像Ｍ、Ｎの位置から角膜厚さを図示しない演算装置によって測定する。つまり、予め試験片によって較正された前記角膜撮影手段２８の演算装置によってこの実測値から実際の角膜厚さを算出する。
【００２９】
叙上のごとく構成された角膜厚撮影機構２によって角膜厚さを測定するのであるが、角膜の精確な厚さを測定するために、スリット状照明光を被検部位たる角膜頂点Ｔに入射させる必要がある。そのため、角膜の撮影に先立って以下のごとく装置の照準を角膜頂点Ｔに合わせたうえで合焦させておく。
【００３０】
まず、アライメント機構３は、その光軸Ａ３が前記照明光の角膜頂点Ｔへの入射光路Ａ１と角膜頂点Ｔからの全反射光路Ａ２との中央、つまり、アライメント機構３の光軸Ａ３が光路Ａ１と光路Ａ２とのなす角を二分割する仮想直線となるように設定されている。そして具体的には、アライメント機構３は以下のように構成されている。すなわち、平行化レンズが組み込まれたアライメント照射手段３１からのアライメント光は平行光となり、第一ハーフミラー３２によって前記光軸Ａ３に沿って、被検眼Ｅの前眼部に垂直に照射される。
【００３１】
ハーフミラーは、その表面および裏面に照射されるそれぞれの光のほぼ５０％を透過し且つほぼ５０％を反射するものである。
【００３２】
アライメント照射手段３１からのアライメント光は、被検眼Ｅにとっての固視灯を兼ねており、近赤外光光源に赤外線フィルターや可視光フィルター等を備えたものが採用される。そして、被検者がこの固視灯を注視することにより、被検眼Ｅが固定され、被検眼Ｅの光軸Ａｅが一方向に定まる。一方、前記平行光たるアライメント光は前眼部で反射され、第二ハーフミラー３２を透過したのち平行化レンズ３３によって一旦平行光にされ、収束レンズ３４によって前眼部撮像装置３５たるビデオカメラの受光面に収束される。この前眼部撮像装置３５はこの前眼部からの反射光をプルキンエ像という光点として捕らえる。そして、前眼部撮像装置３５からの映像信号を受けた図示しない制御装置が、前記光点を映像画面の中央に一させるように第二テーブル２００をＸ方向に移動させるためにＸ駆動機１０１を作動させ、Ｙ方向に移動させるためにＹ駆動機１０２を作動させて、アライメント機構３の光軸Ａ３を被検眼Ｅの光軸Ａｅと一致させる。
【００３３】
このとき第一テーブル１００は移動しないが、いわゆる対物光学部（第二テーブル２００上に配設された構成要素）の一構成要素たる平行化レンズ３３と結像光学部の一構成要素たる収束レンズ３４とのあいだは平行光となるアフォーカル光路として構成されているため、対物光学部が少々移動しても、光軸Ａ３、Ａｅ間のずれは生じない。このことは、前述の角膜撮影機構２でも同様であり、対物光学部の構成要素である収束レンズ２５および平行化レンズ２６と、第一テーブル１００上の平行化レンズ２３および収束レンズ２９とはアフォーカル光路として構成されているので光路Ａ１、Ａ２がずれることはない。かかる点は図３を見れば明らかである。
【００３４】
このようにして照準が定まったのち、以下の如く構成された合焦機構４によって合焦操作がなされる。すなわち、図示のごとく合焦照射手段４１からの光が、前記角膜照射手段２１の前方に配設された第二ハーフミラー４２により、角膜撮影機構の照明光路Ａ１に沿って被検眼Ｅに向けて送られる。つまり、スリット２２によってスリット光にされ、平行化レンズ２３によって平行光にされたのち、収束レンズ２５によって被検眼Ｅに収束される。そして、被検眼Ｅによって全反射された前記スリット光は、前記角膜撮影用の照明光と同じように前述の光路Ａ２に沿って進み、平行化レンズ２６によって一旦平行光にされたのち第三ハーフミラー４３によって光路を曲げられ、収束レンズ２９によって角膜内皮検知手段４４に収束される。角膜内皮検知手段４４としては受光素子（ＰＳＤ）が用いられている。前記合焦用スリット光の全反射光が角膜内皮検知手段４４の受光点に入射するように反射される反射点を、前記角膜撮影用照明光の収束点（収束レンズ２５の焦点Ｆ）と一致するように構成している。かかる構成により、まず、前記Ｚ駆動機１０３によって第二テーブル２００が前進させられる。つまり、第二テーブル２００は被検眼Ｅ接近させられ、前記合焦用のスリット光の角膜頂点Ｔによる反射光が角膜内皮検知手段４４に検知されたときに合焦がなされるので、図示しない制御装置によってＺ駆動機１０３の作動が停止させられるとともに、角膜撮影機構２の作動が開始させられる。合焦作動時に第二テーブル２００が前進しても、前述のとおり、対物光学部とその他の光学部とのあいだがアフォーカル光路となるように構成されているため、合焦作動に悪影響は及ばず、またアライメントがずれることもない。
【００３５】
なお、合焦操作を対物光学部が配設された第二テーブル２００の前進によって行うのは、予め、対物光学部の焦点が被検部位（角膜頂点Ｔ）より後方になる位置（被検部位より装置側に退いた位置）であるニュートラル位置に設定しているからである。そうすることにより、合焦操作時に第二テーブル２００の移動を常に被検眼Ｅに向かう前進としうるので合焦が容易となるからである。
【００３６】
図３には他の構造の角膜厚測定装置１１の要部が示されている。本装置１１は前記角膜厚測定装置１と同一原理によるものであるが、本発明の特徴をより端的に示している。
【００３７】
すなわち、角膜撮影機構２の対物光学部が単一のレンズ（以下、対物レンズという）１２から構成されたものである。このレンズ１２が、角膜照射手段２１および合焦照射手段４１からの平行光を収束させるための収束レンズ２５と被検眼Ｅにおける反射光を平行化するための平行化レンズ２６、３３とを兼ねている。そして、角膜撮影用照明光および合焦用光のための平行化レンズ２３および収束レンズ２９と、アライメント光のための収束レンズ３４とは前記角膜厚測定装置１（図１）と同様に別々に配設されている。図中、実線で示されるのは実際には被検眼Ｅの角膜頂点Ｔがそこに存在しない場合に、角膜頂点Ｔがあれば各光が反射されて結像部２８、３５に至るであろう仮想光路および対物レンズ１２を示している。一方、破線と二点鎖線とで示されるのは、アライメントと合焦が達成されたときの光路および対物レンズ１２を示している。装置１１のアライメント作動および合焦作動によって対物レンズ１２が移動したとき（破線で示す）でも、前記各光は図中ハッチングで示すように結像部２８、３５に達するのである。
【００３８】
これは、前述した図１の装置１と同様であるが、対物光学部と結像光学部とのあいだがアフォーカル光路となるように構成されているからである。このように、アライメント操作と合焦操作のために軽量の対物光学部のみを移動させるのであるから、瞬時にアライメントおよび合焦がなされて撮影作動を開始しうるので、装置を手で持って検眼することも可能となるのである。
【００３９】
かかる優れた効果を奏しうる構成は、前記スペキュラー方式の角膜厚測定装置のみならず、シャインフルーク式の装置にも適用することができる。
【００４０】
以下、図４を参照しつつシャインフルーク式の角膜厚測定装置を説明する。図示の角膜厚測定装置５１は、シャインフルーク式であるため、前述のとおりその角膜撮影機構５２が被検眼Ｅの角膜における乱反射光を撮影するという点で、角膜における全反射光を撮影するスペキュラー方式の角膜厚測定装置１（図１）と異なり、アライメント機構５３と合焦機構５４とはスペキュラー方式のものと同一である。また、この装置５１の光学機器類は第一テーブル１００上に配設されており、そのうちの後述の対物光学部は第二テーブル２００上に配設されている。そして、第二テーブル２００は第一テーブル１００に対してＸＹＺ各方向に相対移動しうるように構成されている。本図では駆動機の図示を省略している。
【００４１】
まず、角膜撮影機構５２は、その角膜照射手段５５たるストロボ放電管からの照明光がスリット５６を通過したのち、平行化レンズ５７および収束レンズ５８を透過して被検眼Ｅの角膜頂点Ｔに正面から照射される。そして、角膜におけるこのスリット光の乱反射光は、被検眼Ｅの斜め前方から平行化レンズ５９、第二ミラー２７および収束レンズ６０を経て角膜断面撮影手段６１たるビデオカメラに至る。そうすることにより、角膜断面が角膜断面撮影手段６１に撮影される。この角膜断面撮影手段６１からの映像信号に基づいて、図示しない画像入出力制御回路によって角膜厚さが算出される。
【００４２】
アライメント機構５３においては、アライメント照射手段３１から第一ハーフミラー３２によって反射されて被検眼Ｅの前眼部に垂直に入射した平行光は被検眼Ｅの前眼部で反射され、平行化レンズ（角膜撮影機構５２における収束レンズ）５８および収束レンズ３４を透過して前眼部撮影装置３５の受光面に収束される。そして、前眼部における前記平行光の反射光たるプルキンエ像を画面中央に位置させるべく第二テーブル２００を移動させる。その結果、被検眼Ｅの光軸Ａｅとアライメント機構５３の光軸Ａ４とが一致して照準が定まる。なお、前記光軸Ａ４から外れて前眼部撮影装置３５の受光面に収束するようにハーフミラー６２が配設されている。
【００４３】
合焦機構５４においては、合焦照射手段４１からスリット６３を通過したスリット光は平行化レンズ６４、第一ミラー２４および収束レンズ６５を透過することによって被検眼Ｅの前眼部に収束し、その全反射光は前記角膜撮影機構５２の反射光の光路Ａ２に沿って、角膜撮影機構５２の平行化レンズ５９と収束レンズ６０とを透過して合焦検知手段６６によって検知されうる。検知されたときに合焦された（ピントが合った）ことになる。
【００４４】
本角膜厚測定装置５１においては、被検眼Ｅの前眼部（角膜頂点Ｔ）における反射光が合焦検知手段６６によって検知されるべき光の反射点が、角膜撮影機構５２の収束レンズ５８の焦点Ｆに一致するように構成されている。
【００４５】
叙上のごとく構成された角膜厚測定装置５１では、まず対物光学部が配設された第二テーブル２００を駆動機１０１、１０２によりＸ−Ｙ方向に移動させて照準を定め、ついで第二テーブル２００を駆動機１０３によりＺ方向に移動させて被検眼に接近させ、合焦を行う。合焦検知手段６６に接続される図示しない合焦検知回路から合焦信号が角膜照射手段５５に送られ、角膜断面の撮影が開始される。
【００４６】
本実施例のシャインフルーク方式角膜厚測定装置５１においても、前述のとおり対物光学部である各レンズ５８、５９、６５と、それぞれとで光学系を形成するレンズ３４、５７、６０、６４とのあいだが平行光となる（アフォーカル光路とされている）。したがって、対物光学部を一体にＸ、Ｙ、Ｚ方向に移動させることによりアライメントおよび合焦を行うことができる。したがって、軽量の対物光学部のみを移動させるのであるから、瞬時にアライメントおよび合焦がなされて撮影作動を開始しうるので、装置を手で持って検眼することも可能となるのである。
【００４７】
叙上の実施例においては、対物光学部のみを相対移動可能な第二テーブル２００上に配置したが、本発明ではかかる構成に限定されることはなく、たとえば図１および図４における対物光学部より前方のアライメント照射手段３１および第二ハーフミラー３２も第二テーブル２００上に配置してもよい。著しい重量増加とはならないためである。
【００４８】
本実施例では、角膜厚測定装置を例にとって説明したが、本発明はとくに角膜厚測定装置に限定されることはなく、角膜組織撮影装置、眼底撮影装置、眼圧測定装置およびその他の眼部撮影装置等にも適用することができる。また、前記角膜厚測定装置において、合焦機構等を他の方式にした場合であっても本発明が適用しうることは明らかである。
【００４９】
【発明の効果】
本発明の眼球撮影装置によれば、
（１）アライメント作動および合焦作動が、きわめて軽量の対物光学部を上下、左右、前後に移動させることによって行われるため、きわめて短時間にアライメントおよび合焦がなされる。
【００５０】
（２）したがって、装置全体を手で持って被検眼を撮影する場合でも、瞬時にアライメントおよび合焦がなされるため、いわゆる手ブレによる悪影響の心配もなく、たとえば伏臥状態の患者に対する眼科検診も可能となる。
【００５１】
（３）また、対物光学部を移動させるため、駆動機が軽量となり、装置全体の軽量化が可能である。
【図面の簡単な説明】
【図１】本発明の眼球撮影装置の一実施例を示す概略配置図である。
【図２】図１の眼球撮影装置における角膜撮影装置による映像の一例を示す概略正面図である。
【図３】本発明の眼球撮影装置の他の実施例の要部を示す概略配置図である。
【図４】本発明の眼球撮影装置のさらに他の実施例を示す概略配置図である。
【符号の説明】
１、１１、５１・・・角膜厚測定装置
２、５２・・・角膜撮影機構
３、５３・・・アライメント機構
４、５４・・・合焦機構
２１、５５・・・角膜照射手段
２８・・・角膜撮影手段
３１・・・アライメント照射手段
３５・・・前眼部撮影装置
４１・・・合焦照射手段
６１・・・角膜断面撮影手段
６６・・・合焦検知手段
１０１・・・Ｘ駆動機
１０２・・・Ｙ駆動機
１０３・・・Ｚ駆動機
１００・・・第一テーブル
２００・・・第二テーブル
Ｅ・・・被検眼
Ｔ・・・角膜頂点
【図１】
0003708632.tif 000002
【図２】
0003708632.tif 000003
【図３】
0003708632.tif 000004
【図４】
0003708632.tif 000005